(57)【要約】【課題】複数のウィンドウが重なり合って状況の変化が把握困難になったり、必要な情報を見るための操作が煩雑になることなく、多くの情報を、優先度を考慮して使い勝手よく表示する表示システムを提供する。【解決手段】複数の画面を縮小し、メイン画面を邪魔することなく同じディスプレイに表示させて、任意の縮小画面をマウスのドラッグ＆ドロップ操作によりサブディスプレイに拡大表示する。更に、任意の縮小画面に対して音声認識等の機能を割り当てる。【選択図】      図２
2004227367.tif 000002
【特許請求の範囲】
【請求項１】
情報処理装置が出力する複数の画面情報を表示装置にて同時に表示する方法において、
前記情報処理装置が複数の表示装置に異なる画像を表示する方法であって、
一の表示装置の画面を、それぞれが一の画面情報を表示する領域である主表示領域と複数の縮小表示領域とに、互いの領域が重ならないように区分する段階１と、
第１の縮小表示領域及び前記主表示領域の両方に、同一の画面情報を表示する段階２と、
第２の縮小表示領域及び当該他の表示装置の両方に、同一の画面情報を表示する段階３と、
前記第１及び第２の縮小表示領域以外の第３の縮小表示領域に画面情報を表示する段階４と、
前記情報処理装置に対する操作に応じて、前記第３の縮小表示領域の一に表示された画面情報を、前記第２の縮小表示領域及び前記他の表示装置の両方に表示する段階５と
を含むことを特徴とする画面情報表示方法。
【請求項２】
請求項１に記載の画面情報表示方法において、前記段階５は、前記第２の縮小表示領域に、前記第３の縮小表示領域の一に表示されている画面情報がドラッグ＆ドロップされると、当該画面情報を、前記第２の縮小表示領域及び前記他の表示装置の両方に表示することを特徴とする画面情報表示方法。
【請求項３】
請求項１に記載の画面情報表示方法において、前記段階５に応じて、表示中の画面情報と前記縮小表示領域との対応関係を変更する段階６を更に含むことを特徴とする画面情報表示方法。
【請求項４】
請求項１に記載の画面情報表示方法において、
第３の縮小表示領域のうち、少なくともひとつを第４の縮小表示領域として、前記第４の縮小表示領域に、他の縮小表示領域に表示されている画面情報をドラッグ＆ドロップすると、予め定められた処理を実行する段階７を更に含む
ことを特徴とする画面情報表示方法。
【請求項５】
情報処理装置及び複数の表示装置を備える画面情報表示システムにおいて、
一の表示装置の画面を、それぞれが一の画面情報を表示する領域である主表示領域と複数の縮小表示領域とに、互いの領域が重ならないように区分する手段１と、
第１の縮小表示領域及び前記主表示領域の両方に、同一の画面情報を表示する手段２と、
第２の縮小表示領域及び当該他の表示装置の両方に、同一の画面情報を表示する手段３と、
前記第１及び第２の縮小表示領域以外の第３の縮小表示領域に画面情報を表示する手段４と、
前記情報処理装置に対する操作に応じて、前記第３の縮小表示領域の一に表示された画面情報を、前記第２の縮小表示領域及び前記他の表示装置の両方に表示する手段５と
を備えることを特徴とする画面情報表示システム。
【請求項６】
請求項５に記載の画面情報表示システムにおいて、前記手段５は、前記第２の縮小表示領域に、前記第３の縮小表示領域の一に表示されている画面情報がドラッグ＆ドロップされると、当該画面情報を、前記他の表示装置及び前記第２の縮小表示領域の両方に表示することを特徴とする画面情報表示システム。
【請求項７】
請求項５に記載の画面情報表示システムにおいて、前記手段５の動作に応じて、表示中の画面情報と前記縮小表示領域との対応関係を変更する手段６を更に備えることを特徴とする画面情報表示システム。
【請求項８】
請求項５に記載の画面情報表示システムにおいて、
第３の縮小表示領域のうち、少なくともひとつを第４の縮小表示領域として、前記第４の縮小表示領域に、他の縮小表示領域に表示されている画面情報をドラッグ＆ドロップすると、予め定められた処理を実行する手段７を更に備える
ことを特徴とする画面情報表示システム。
【請求項９】
複数の表示装置に接続する情報処理装置にて実行されるコンピュータプログラムにおいて、
一の表示装置の画面を、それぞれが一の画面情報を表示する領域である主表示領域と複数の縮小表示領域とに、互いの領域が重ならないように区分する処理１と、
第１の縮小表示領域及び前記主表示領域の両方に、同一の画面情報を表示する処理２と、
第２の縮小表示領域及び当該他の表示装置の両方に、同一の画面情報を表示する処理３と、
前記第１及び第２の縮小表示領域以外の第３の縮小表示領域に画面情報を表示する処理４と、
前記情報処理装置に対する操作に応じて、前記第３の縮小表示領域の一に表示された画面情報を、前記第２の縮小表示領域及び前記他の表示装置の両方に表示する処理５と
を情報処理装置に実行させることを特徴とする画面情報表示プログラム。
【請求項１０】
請求項９に記載の画面情報表示プログラムにおいて、前記処理５は、前記第２の縮小表示領域に、前記第３の縮小表示領域の一に表示されている画面情報がドラッグ＆ドロップされると、当該画面情報を、前記他の表示装置及び前記第２の縮小表示領域の両方に表示させることを特徴とする画面情報表示プログラム。
【請求項１１】
請求項９に記載の画面情報表示プログラムにおいて、前記処理５に応じて、表示中の画面情報と前記縮小表示領域との対応関係を変更する処理６を更に情報処理装置に実行させることを特徴とする画面情報表示プログラム。
【請求項１２】
請求項９に記載の画面情報表示プログラムにおいて、
第３の縮小表示領域のうち、少なくともひとつを第４の縮小表示領域として、前記第４の縮小表示領域に、他の縮小表示領域に表示されている画面情報がドラッグ＆ドロップされると、予め定められた処理を実行する処理７を、更に情報処理装置に実行させる
ことを特徴とする画面情報表示プログラム。
【発明の詳細な説明】
【０００１】
【発明の属する技術分野】
本発明は表示システムに関し、特に表示情報の優先度を考慮しながら使い勝手よく情報密度を高める必要性のある表示システムに関する。このような表示システムは、例えば、航空管制を行なう際に用いられている。
【０００２】
【従来の技術】
航空管制に供する表示システムは、膨大な情報を管制官に対して表示する必要があるが、必ずしもその全てを常時表示しなければならないわけではなく、情報によって表示が必要となる頻度は異なる。即ち、▲１▼常に詳細を把握する必要がある情報、▲２▼常に詳細を把握する必要はないが時々確認を必要とする情報、▲３▼状況に変化があった時だけ確認が必要な情報がある。
【０００３】
このような情報を一括して表示する従来のシステムとしては、必要な表示頻度が異なる複数の表示情報を、複数の表示装置を用いて同時に表示するものがある。このようなシステムは、表示装置を複数用いる都合上、設置面積が大きくなりやすい。また、全ての表示情報を確認するためには、一台の表示装置を見る場合と比較して広い角度を見渡す必要があり、必ずしも良好な操作性に繋がらない。
【０００４】
また、他の従来の表示システムとしては、一台の表示装置の画面内に、複数の表示情報をウィンドウ形式で表示するものがある。ウィンドウ形式の表示ではウィンドウ同士を重ねた状態で表示することが可能である。必要な頻度が低い情報を表示するウィンドウは、頻度が高いウィンドウの背後に表示し、必要に応じて前面に表示するように操作することができる。また、ウィンドウ形式で表示する場合、更に、必要に応じて特定のウィンドウの表示サイズを拡大・縮小することができる。
【０００５】
しかし、このような表示システムでは、当然に他のウィンドウの背後のウィンドウに表示された情報を即座に参照することはできない。参照するためにはウィンドウ間の前後関係を切り替える操作が必要となる。同様の操作は、特定のウィンドウを拡大表示した結果、そのウィンドウの後背に隠れてしまったウィンドウを参照する際にも要求される。特に、航空管制を行なう管制官には、このような切り換え操作が頻繁に要求され、ワークロードを肥大化する一因となっている。
【０００６】
このワークロードの軽減を重視して、参照頻度の高いウィンドウを限定して表示し、参照頻度の低いウィンドウについては、別段の操作をしない限りは表示しない表示システムも存在する。しかし、この場合は、平時の操作性を良好に保つことはできるものの、参照頻度の低い情報を表示するためには通常は行なわない操作が必要になることを意味する。また、特定のウィンドウを拡大表示したために隠れてしまったウィンドウを表示するための操作は依然必要となる。このため全体としての操作性を改善したものとは言いがたい。
【０００７】
【発明が解決しようとする課題】
即ち、従来の表示システムには、以下のような問題点が存在する。
【０００８】
第１の問題点は、１度に複数の画面を表示すると視認性が低下するということである。その理由は、ウィンドウが重なり合って見難くなるためである。
【０００９】
第２の問題点は、ひとつのウィンドウをクローズアップすると他のウィンドウが隠れてしまうことである。その理由は、選択したウィンドウが最前面に表示され、しかもクローズアップするためにウィンドウを拡大すると、他のウィンドウが背面に隠れてしまうためである。
【００１０】
第３の問題点は、各ウィンドウの状況変化に気付きにくいということである。その理由は、ウィンドウが重なり合うことにより、表示が隠れて見えないことがあるためである。
【００１１】
第４の問題点は、マウス等による操作が煩雑であるということである。その理由は、例えば、同時に表示させたいウィンドウが複数ある場合、必要な部分が隠れないよう各ウィンドウの位置を調整しなければならないといった操作が発生するためである。
【００１２】
第５の問題点は、航空管制等に供する表示装置において、表示スペースがない為に表示することを諦めなければならない情報があることである。その理由は、画面の切り替え等により管制官のワークロードを増加させないために、１つの画面（ウィンドウ）で必要最低限の情報を表示させようとしているためである。
【００１３】
本発明はこのような状況に鑑みてなされたものであり、本発明が解決しようとする課題は、使い勝手よく情報密度を高めたマルチディスプレイ＆マルチウィンドウシステムを提供することにある。
【００１４】
【課題を解決するための手段】
上述の課題を解決するため、本発明は次のような解決手段を提供する。
【００１５】
本発明は、情報処理装置が出力する複数の画面情報を表示装置にて同時に表示する方法において、次の段階１〜５を含み、情報処理装置が複数の表示装置に異なる画像を表示する方法を提供する。即ち、一の表示装置の画面を、それぞれが一の画面情報を表示する領域である主表示領域と複数の縮小表示領域とに、互いの領域が重ならないように区分する段階１と、第１の縮小表示領域及び主表示領域の両方に、同一の画面情報を表示する段階２と、第２の縮小表示領域及び当該他の表示装置の両方に、同一の画面情報を表示する段階３と、第１及び第２の縮小表示領域以外の第３の縮小表示領域に画面情報を表示する段階４と、情報処理装置に対する操作に応じて、第３の縮小表示領域の一に表示された画面情報を、第２の縮小表示領域及び他の表示装置の両方に表示する段階５である。
【００１６】
段階５は、第２の縮小表示領域に、第３の縮小表示領域の一に表示されている画面情報がドラッグ＆ドロップされると、当該画面情報を、第２の縮小表示領域及び他の表示装置の両方に表示することとしてもよい。
【００１７】
段階５に応じて、表示中の画面情報と縮小表示領域との対応関係を変更する段階６を更に含むこととしてもよい。
【００１８】
第３の縮小表示領域のうち、少なくともひとつを第４の縮小表示領域として、第４の縮小表示領域に、他の縮小表示領域に表示されている画面情報をドラッグ＆ドロップすると、予め定められた処理を実行する段階７を更に含むこととしてもよい。
【００１９】
また、本発明は、情報処理装置及び複数の表示装置を備える画面情報表示システムにおいて、次の手段を備えるものを提供する。即ち、一の表示装置の画面を、それぞれが一の画面情報を表示する領域である主表示領域と複数の縮小表示領域とに、互いの領域が重ならないように区分する手段１と、第１の縮小表示領域及び主表示領域の両方に、同一の画面情報を表示する手段２と、第２の縮小表示領域及び当該他の表示装置の両方に、同一の画面情報を表示する手段３と、第１及び第２の縮小表示領域以外の第３の縮小表示領域に画面情報を表示する手段４と、情報処理装置に対する操作に応じて、第３の縮小表示領域の一に表示された画面情報を、第２の縮小表示領域及び他の表示装置の両方に表示する手段５とを備えることを特徴とする画面情報表示システムである。
【００２０】
手段５は、第２の縮小表示領域に、第３の縮小表示領域の一に表示されている画面情報がドラッグ＆ドロップされると、当該画面情報を、他の表示装置及び前記第２の縮小表示領域の両方に表示することとしてもよい。
【００２１】
手段５の動作に応じて、表示中の画面情報と縮小表示領域との対応関係を変更する手段６を更に備えることとしてもよい。
【００２２】
第３の縮小表示領域のうち、少なくともひとつを第４の縮小表示領域として、第４の縮小表示領域に、他の縮小表示領域に表示されている画面情報をドラッグ＆ドロップすると、予め定められた処理を実行する手段７を更に備えることとしてもよい。
【００２３】
更に、本発明は、複数の表示装置に接続する情報処理装置にて実行されるコンピュータプログラムにおいて、次の処理を情報処理装置に実行させることを特徴とするものを提供する。即ち、一の表示装置の画面を、それぞれが一の画面情報を表示する領域である主表示領域と複数の縮小表示領域とに、互いの領域が重ならないように区分する処理１と、第１の縮小表示領域及び主表示領域の両方に、同一の画面情報を表示する処理２と、第２の縮小表示領域及び当該他の表示装置の両方に、同一の画面情報を表示する処理３と、第１及び第２の縮小表示領域以外の第３の縮小表示領域に画面情報を表示する処理４と、情報処理装置に対する操作に応じて、第３の縮小表示領域の一に表示された画面情報を、第２の縮小表示領域及び他の表示装置の両方に表示する処理５である。
【００２４】
処理５は、第２の縮小表示領域に、第３の縮小表示領域の一に表示されている画面情報がドラッグ＆ドロップされると、当該画面情報を、他の表示装置及び第２の縮小表示領域の両方に表示させることとしてもよい。
【００２５】
処理５に応じて、表示中の画面情報と縮小表示領域との対応関係を変更する処理６を更に情報処理装置に実行させることとしてもよい。
【００２６】
第３の縮小表示領域のうち、少なくともひとつを第４の縮小表示領域として、第４の縮小表示領域に、他の縮小表示領域に表示されている画面情報がドラッグ＆ドロップされると、予め定められた処理を実行する処理７を、更に情報処理装置に実行させることとしてもよい。
【００２７】
本発明によれば、複数の画面を縮小表示して常に概略を把握する手段と、縮小画面の表示位置を変更できる手段及び縮小画面の数を変更できる手段と、選択した縮小画面をサブディスプレイに拡大表示する手段とを備える表示システムを提供する。この表示システムは、これらの手段を用いて、常に詳細を把握しなければならない情報と、常時詳細を表示する必要はないが、時に詳細を表示する必要がある情報との優先度を考慮し、効率よく表示させることができる。また、これと共に、表示の効率だけでなく操作についても多忙な業務を効率よく処理できるよう動作する。
【００２８】
また、本発明によれば、上述の表示システムにおける縮小表示のひとつに、音声認識、ヘッドマウントディスプレイへの表示等の各種機能を割当てファンクションエリアとする手段と、任意の縮小表示をこのファンクションエリアへドラッグ＆ドロップ操作を行うことにより移動させる手段と、ファンクションエリアに割当てられた縮小画面に対し機能を有効にする手段とを更に備える表示システムを提供する。この表示システムは、多忙なオペレータを効率よくサポートすることができる。
【００２９】
【発明の実施の形態】
次に、本発明の実施の形態について図面を参照して詳細に説明する。図１を参照すると、本発明の第１の実施の形態である表示システム１００は、プログラム制御により動作するコンピュータ（表示制御装置）１１０と、複数のグラフィックボード１２０、１３０と、主画面及び縮小画面を表示する表示装置（メインディスプレイ）１４０と、メインディスプレイ１４０内で選択された縮小画面を拡大表示する表示装置（サブディスプレイ）１５０と、画面操作を行うマウス１６０とから構成されている。
【００３０】
コンピュータ（表示制御装置）１１０は、一般的なオペレーティングシステム（ＯＳ）に従って動作し、更に、ＯＳが備える処理、或いはＯＳ上で動作するプログラムの処理として、以下のような処理を行なう。図２を参照して以下に説明する。
【００３１】
マルチディスプレイ処理は、ＯＳのマルチディスプレイ機能やグラフィックボードの機能により、複数のディスプレイ１４０、１５０に同時に表示データを出力する。
【００３２】
マウス入力処理は、マウス１６０による入力に応じてメインディスプレイ１４０の画面内でマウスカーソルを移動させたり、マウスの位置とマウスボタンの操作に応じて所定の命令を入力する。
【００３３】
分割表示処理は、メインディスプレイ１４０の主表示領域１４１及び縮小表示領域１４２〜１４７に、複数の画面情報を同時に表示する。一の画面情報は、例えば、ＯＳのデスクトップ画面、一のアプリケーションソフトウェアの実行ウィンドウ、ビデオカメラの動画像、静止画像、測定装置のモニター画面などがある。縮小表示領域１４２〜１４７は、主表示領域１４１と重複しない位置に表示される。縮小表示領域１４２〜１４７も互いに重ならない位置に表示されることが望ましい。更に、縮小表示とメイン表示上のアイコン等は重なりを回避して表示することが望ましい。
【００３４】
縮小画面移動表示処理は、任意の縮小画面領域に表示した画面情報を、後述するサブディスプレイ縮小表示領域１４２や主表示縮小表示領域１４３に移動させて表示する。
【００３５】
表示領域間連動処理は、サブディスプレイ縮小表示領域１４２にて表示した画面情報をサブディスプレイ１５０に表示する。サブディスプレイ縮小表示領域１４２は、縮小表示領域のひとつであるが、他の縮小表示領域とは異なり、サブディスプレイ１５０と同じ画面情報を縮小して表示する。
【００３６】
尚、表示システム１００ではサブディスプレイ縮小表示領域１４２はひとつだが、これはサブディスプレイ１５０が一基だからであり、更にサブディスプレイ、グラフィックボードを追加する等により二基以上のサブディスプレイを用いる際には、サブディスプレイ縮小表示領域１４２もサブディスプレイと同数だけ設けることとしてよい。同様に、主表示縮小表示領域１４３は主表示領域１４１と同じ画面情報を縮小して表示する。
【００３７】
メインディスプレイ１４０は、コンピュータ１１０が出力する表示データを取り込み画面に表示する。また、メインディスプレイ１４０の仕様は、コンピュータ１１０のグラフィック性能に合わせて任意に選定してよい。更に、メインディスプレイ１４０の大きさは、用途や設置場所に合わせて任意に選定してよい。
【００３８】
サブディスプレイ１５０の仕様は、コンピュータ１１０のグラフィック性能に合わせて任意に選定してよい。また、サブディスプレイ１５０の大きさは、用途や設置場所に合わせて任意に選定してよい。更に、サブディスプレイ１５０を接続可能な最大台数は、コンピュータ１１０のグラフィックポート数に依存する。尚、サブディスプレイ１５０の表示面積の大きさは、少なくとも縮小表示領域ひとつよりも大きいものとする。
【００３９】
次に、図３のフローチャートを参照して表示システム１００の動作について詳細に説明する。
【００４０】
まず、ＯＳ及び必要な処理に係るプログラムを起動すると、メインディスプレイ１４０の画面内の、主表示領域１４１及び縮小表示領域１４２〜１４７のそれぞれに、画面情報が表示される（ステップＳ１）。この時、縮小表示領域は、予め設定した位置にメインディスプレイ１４０の画面内のアイコン、ウィンドウ等と重なることなく表示される。
【００４１】
今、図２のように、サブディスプレイ縮小表示領域１４２には画面情報Ａが縮小して表示されていて、これと連動し、サブディスプレイ１５０には同じ画面情報Ａが表示されている。主表示縮小表示領域１４３には画面情報Ｂが縮小して表示されていて、これと連動し、主表示領域１４１には画面情報Ｂが表示されている。更に、縮小表示領域１４４〜１４７にはそれぞれ画面情報Ｃ〜Ｆが表示されているものとする。
【００４２】
この状態から、表示システム１００のユーザが、縮小表示領域１４７をマウスでドラッグし、サブディスプレイ縮小表示領域１４２にドロップする操作を行なったものとする。すると、表示システム１００は、ユーザの操作に応じて縮小画面領域１４７にて表示されていた画面情報Ｆが、メインディスプレイの画面上を移動した後、サブディスプレイ縮小表示領域１４２に入力される様子を表示（ステップＳ２）し、更に、サブディスプレイ１５０の表示内容を、画面情報Ａから画面情報Ｆに切り替える（ステップＳ３）。つまり、画面情報Ｆがサブディスプレイ１５０にて拡大して表示されることになる。画面情報Ａの表示位置は、サブディスプレイ縮小表示領域１４２から縮小表示領域１４４に移る。これに伴い、縮小表示領域１４４、１４５及び１４６に表示されていた画面情報Ｃ、Ｄ及びＥは、それぞれ右隣の縮小表示領域にて表示される（ステップＳ４）。即ち、ステップ４終了後の各表示領域に表示される画面情報は、主表示領域１４１、縮小表示領域１４２〜１４７及びサブディスプレイ１５０の順番に、画面情報Ｂ、Ｆ、Ｂ、Ａ、Ｃ、Ｄ、Ｅ、Ｆとなる。
【００４３】
表示システム１００では、複数の画面を縮小して縮小表示領域に表示すると同時に、常時表示させておきたい画面を主表示領域に表示し続けることができる。このため、従来よりも１画面あたりの情報密度を高めることができる。また、必要な時に縮小画面をサブディスプレイにクローズアップして表示できるため、情報の優先度に応じて臨機応変に画面構成を変更できる。上述の動作は主表示領域に影響を与えずに行われるため、最も重要な情報を常に優先的に表示することができる。
【００４４】
次に、本発明の第２の実施の形態について図面を参照して詳細に説明する。ハードウェアの基本構成は表示システム１００と同様であるので説明を省略する。
【００４５】
第１の実施の形態と比較すると、第２の実施の形態は、縮小表示領域に新たな種類が追加されている点が異なる。第１の実施の形態の縮小表示領域は、サブディスプレイ縮小表示領域１４２、主表示縮小表示領域１４３、及びその他の縮小表示領域１４４〜１４７の三種類があった。これに対し、図４を参照すると、第２の実施の形態では、更に、ファンクション領域１７０を有する。ファンクション領域１７０に、他の縮小表示領域から画面情報をドラッグ＆ドロップすると、その画面情報に対して、或いは、ファンクション領域１７０に対して、予め割り当てた処理が実行される。サブディスプレイ縮小表示領域１４２と同様に、ファンクション領域１７０を複数設けてもよい。
【００４６】
このため、本実施の形態では、上述のマルチディスプレイ処理、マウス入力処理、分割表示処理、縮小画面移動表示処理、表示領域間連動処理に加えて、ファンクション領域に表示された画面情報に対して実行される処理を割り当てるファンクション割当処理が、コンピュータ１１０にて実行される。ファンクション割当処理が割り当てる処理と画面情報の対応関係、或いは処理と個別のファンクション領域との対応関係は複数定めてもよい。例えば、画面情報の種類毎に異なる処理を割り当ててもよい。更に、ファンクション割当処理により割り当てられる各種の処理が、コンピュータ１１０で実行される。
【００４７】
具体的に割り当てられる処理としては、その画面情報に係る音声データに対して行なう音声認識処理、その画面情報をヘッドマウントディスプレイその他の表示装置に表示する処理、コンピュータ１１０にネットワークを介して接続されている他のコンピュータに対し、その画面情報に係る処理の制御権を譲り渡す処理等が考えられる。
【００４８】
次に、図５を参照して本実施の形態の動作を説明する。今、メインディスプレイ１４０及びサブディスプレイ１５０には図４のように画面情報が表示されている状態で、ユーザがマウスを操作して縮小表示領域１４６に表示されている画面情報Ｅをファンクション領域１７０にドラッグ＆ドロップする操作を行なったとする。このとき、表示システム１００は、ユーザの操作に応じて画面情報Ｅが縮小表示領域１４６からファンクション領域１７０に移動し、ドロップされる過程を表示する（ステップＳ１１）。次に、画面情報Ｅに対して所定の処理を実行する（ステップＳ１２）。最後に、画面情報Ｅをファンクション領域１７０に表示し、直前にファンクション領域１７０で表示されていた画面情報Ｂを縮小表示領域１４５に表示し、縮小表示領域１４５で表示されていた画面情報Ｄを縮小表示領域１４６に表示する（ステップＳ１３）。尚、縮小表示領域１４７で表示されていた画面情報Ｆについてはそのままである。
【００４９】
第２の実施の形態では、ファンクション領域に適切な処理を割り当てることにより、操作性を向上させることが出来る。
【００５０】
以上本発明を実施の形態に即して説明したが、本発明はこれに限られるものではなく、当業者の通常の知識の範囲内でその変更や改良が可能であることは勿論である。
【００５１】
例えば、上述の実施の形態では、１つの主表示領域と、６つの縮小表示領域にメインディスプレイ１４０を分割したが、本発明はこれに限定されるものではなく、メインディスプレイの表示面積等に応じて各領域の数を増減することができることは、当業者であれば明らかであろう。
【００５２】
また、例えば、上述の実施の形態のメインディスプレイは、画面上辺部に沿って横一列に縮小表示領域を配置し、その下を主表示領域とする表示レイアウトを用いているが、主表示領域及び縮小表示領域のレイアウトはこれに限定されない。表示レイアウトはユーザの操作に応じて変更可能であってもよい。
【００５３】
また、上述の実施の形態では、２基の表示装置を備えるシステムを用いて説明したが、本発明はこれに限定されるものではなく、３基以上の表示装置を備えるシステムであっても適応可能であることは明らかであろう。
【００５４】
【発明の効果】
第１の効果は、情報の優先度を考慮しながら情報の密度をたかめられることにある。その理由は、複数の画面を縮小表示しメイン画面と共に表示することができ、さらに必要に応じて選択した縮小表示をサブディスプレイに拡大表示できるためである。
【００５５】
第２の効果は、表示にオペレータをサポートする機能を割当てることにより、作業効率を高められることにある。その理由は、メイン画面以外の表示画面に対して、音声認識、ヘッドマウントディスプレイへの表示、ネットワーク接続する他のＰＣからの操作を可能とする等、各種機能を割当てることができるためである。
【図面の簡単な説明】
【図１】本発明の第１及び第２の実施の形態の構成を示す示すブロック図である。
【図２】第１の実施の形態の画面構成を説明する図である。
【図３】第１の実施の形態の動作を説明するフローチャートである。
【図４】第２の実施の形態の画面構成を説明する図である。
【図５】第２の実施の形態の動作を説明するフローチャートである。
【符号の説明】
１００  表示システム
１１０  コンピュータ（表示制御装置）
１２０、１３０  グラフィックボード
１４０  メインディスプレイ
１４１  主表示領域
１４２  サブディスプレイ縮小表示領域
１４３  主表示縮小表示領域
１４４、１４５、１４６、１４７  縮小表示領域
１５０  サブディスプレイ
１６０  マウス
１７０  ファンクション領域
【図１】
2004227367.tif 000003
【図２】
2004227367.tif 000004
【図３】
2004227367.tif 000005
【図４】
2004227367.tif 000006
【図５】
2004227367.tif 000007